(57)【要約】      （修正有）【課題】シャッターカーテンで開口部を閉じているときにも室内への採光や導風ができ、かつ、スラットのばたつきを軽減できるシャッター装置を提供する。【解決手段】シャッター装置のシャッターカーテン１を開閉スラット部（１１〜１３）と、開閉スラット部に隣接した下方に配設されている連結スラット部（１４〜１６）と、連結スラット部に隣接した下方に配されている一般スラット部（１７〜１８）とから構成し、カーテン閉位置に配されているときに隣接するスラット１０同士が嵌合するようにする。さらに、開閉スラット部（１１〜１３）を、シャッターカーテン１がカーテン閉位置から上動すると嵌合が外れて少なくとも１つのスラット１０が回動可能になるようにする。連結スラット部（１４〜１６）を、上下に伸縮可能に形成されている少なくとも１つのスラット１０から構成する。【選択図】図２
2007138517.tif 000002
【特許請求の範囲】
【請求項１】
左右方向に延び互いに連結されている複数のスラットが上下方向に配列してなり構造物に形成されている開口部の上部に配設されるシャッターカーテンと、少なくとも一部の該スラットを枢支して連結するリンク部材と、該開口部を閉じるカーテン閉位置と該開口部を開くカーテン開位置との間で該シャッターカーテンを上下動させる駆動手段と、を備え、該シャッターカーテンが該カーテン閉位置に配されているときに隣接する該スラット同士が嵌合するシャッター装置であって、
該シャッターカーテンは、該リンク部材に枢支されている複数の該スラットからなり該シャッターカーテンが該カーテン閉位置から上動すると該嵌合が外れて少なくとも１つの該スラットが回動可能になる開閉スラット部と、上下に伸縮可能に形成されている少なくとも１つの該スラットからなり該開閉スラット部に隣接した下方に配設されている連結スラット部と、少なくとも１つの該スラットからなり該連結スラット部に隣接した下方に配設されている一般スラット部と、を持ち、
該駆動手段は、少なくとも該開閉スラット部に属し該嵌合が外れた該スラットを回動させるスラット回動手段を持ち、
該連結スラット部は、該カーテン閉位置に配されている該シャッターカーテンが該開閉スラットの回動に必要な所定長さ上動する際に、該所定長さだけ伸長することを特徴とするシャッター装置。
【請求項２】
前記連結スラット部は、下方に開口する内部中空を持つ本体部と、該本体部の該内部中空に収納され下方に展開して伸長する展開部と、を持つ請求項１に記載のシャッター装置。
【請求項３】
前記本体部と前記展開部とは、少なくとも前記展開部が下方に展開しているときに連結している請求項２に記載のシャッター装置。
【請求項４】
前記連結スラット部は、複数の前記スラットからなり、
前記連結スラット部に属する前記スラットは、前記シャッターカーテンが前記所定長さを超えて上動したときにも連結されている請求項１に記載のシャッター装置。
【請求項５】
前記一般スラット部は、複数の前記スラットからなり、前記シャッターカーテンが前記所定長さを超えて上動すると前記嵌合が外れて少なくとも１つの前記スラットが回動可能になる請求項１に記載のシャッター装置。
【請求項６】
前記スラット回動手段は、前記一般スラット部に属し前記嵌合が外れた前記スラットを回動させる請求項５に記載のシャッター装置。
【発明の詳細な説明】
【技術分野】
【０００１】
本発明は、構造物に形成されている開口部を開閉するシャッター装置に関する。
【背景技術】
【０００２】
一般的なシャッター装置は、図１６に示すように、互いに連結されている複数のスラット５１０が上下方向に配列してなるシャッターカーテン５０１を持つ。図１６に示すようにシャッターカーテン５０１が下動してカーテン閉位置に配されると、シャッターカーテン５０１が構造物の開口部５６０を閉じる。シャッターカーテン５０１が上動してカーテン開位置に配されると、開口部５６０が開かれる。近年では、シャッターカーテン５０１で開口部５６０を閉じているときにも、室内への採光や導風ができるシャッター装置が要求されている。一般には、シャッターカーテン５０１を閉位置に配しているときに、一部（または全部）のスラット５１０を回動させて隣接するスラット５１０同士の間に間隙を形成し、この間隙を通じて室内への採光や導風をおこなっている。すなわち、一部または全部のスラット５１０が回動可能になるようにシャッターカーテン５０１を形成する。そしてスラット５１０を、隣接するスラット５１０同士の間に間隙が形成されるスラット開位置と、隣接するスラット５１０同士が当接して間隙が閉じるスラット閉位置と、の間で回動させる。スラット５１０をスラット開位置に配すると、シャッターカーテン５０１がカーテン閉位置に配されているときでも、隣接するスラット５１０同士の間隙を光や風が流通可能になる。よって室内への採光や導風が可能になる（例えば、特許文献１参照）。
【０００３】
ところで、特許文献１に提案されているシャッター装置において、スラット開位置に配されているスラットは、端部が室外に向かって下向する庇状をなす。したがって、室外から室内に入射する光はスラットによって遮られる。よって、特許文献１に紹介されているシャッター装置によると、充分な採光量を確保できない問題があった。
【０００４】
本願出願人は採光量を高め得るシャッター装置を出願した（特許文献２参照）。特許文献２におけるシャッターカーテンを側方から見た様子を模式的に表す説明図を図１７に示す。図１７（ａ）に示すように、シャッターカーテン５０１がカーテン閉位置に配されているときには、各スラット５１０はスラット閉位置に配されるとともに、隣接するスラット５１０同士が嵌合する。図１７（ｂ）に示すように、シャッターカーテン５０１がカーテン閉位置に配されているときに、シャッターカーテン５０１を所定長さ上動させると、隣接するスラット５１０同士の嵌合は、シャッターカーテン５０１の上部から下部に向けて順次外れる。詳しくは、上側に位置するスラット５１０が上方に引っ張られることで、引っ張られたスラット５１０とその下方に隣接するスラット５１０との距離が開き、２つのスラット５１０同士の嵌合代が少なくなり、両者の嵌合が外れる。嵌合が外れたスラット５１０は回動可能になり、図１７（ｃ）に示すスラット開位置に回動できる。特許文献２のシャッター装置では、嵌合が外れたスラット５１０は種々の角度に回動可能になる。このため、スラット５１０を大きく回動させれば、室外から室内に入射する光がスラットに遮られることはない。以下、隣接するスラット同士の嵌合を、単にスラットの嵌合と呼ぶ。
【０００５】
ところで、この種のシャッター装置において、各スラット５１０は互いに連結している。このため、シャッターカーテン５０１の上部に位置するスラット５１０を回動させるためにシャッターカーテン５０１を所定長さ上動させると、回動させたいスラット５１０ｘよりも下方に配されている所定数のスラット５１０ｙにも上方向の力が加わる。したがって、スラット５１０ｙもまた上方に引っ張られて嵌合が外れる。嵌合が外れているスラット５１０ｙは回動可能な状態になる。このため、シャッターカーテン５０１で開口を閉じかつスラット５１０ｘをスラット開位置に配しているときにシャッター装置が強風を受けると、スラット５１０ｙがばたつく場合があり、騒音が生じるおそれがあった。
【特許文献１】特開２００１−２７１５７４号公報
【特許文献２】特開２００５−６１１３８号公報
【発明の開示】
【発明が解決しようとする課題】
【０００６】
本発明は上記事情に鑑みて成されたものであり、シャッターカーテンで開口部を閉じているときにも室内への採光や導風ができ、かつ、スラットのばたつきを軽減できるシャッター装置を提供することを目的とする。
【課題を解決するための手段】
【０００７】
上記課題を解決する本発明のシャッター装置は、左右方向に延び互いに連結されている複数のスラットが上下方向に配列してなり構造物に形成されている開口部の上部に配設されるシャッターカーテンと、少なくとも一部のスラットを枢支して連結するリンク部材と、開口部を閉じるカーテン閉位置と開口部を開くカーテン開位置との間でシャッターカーテンを上下動させる駆動手段と、を備え、シャッターカーテンがカーテン閉位置に配されているときに隣接するスラット同士が嵌合するシャッター装置であって、シャッターカーテンは、リンク部材に枢支されている複数のスラットからなりシャッターカーテンがカーテン閉位置から上動すると嵌合が外れて少なくとも１つのスラットが回動可能になる開閉スラット部と、上下に伸縮可能に形成されている少なくとも１つのスラットからなり開閉スラット部に隣接した下方に配設されている連結スラット部と、少なくとも１つのスラットからなり連結スラット部に隣接した下方に配設されている一般スラット部と、を持ち、駆動手段は、少なくとも開閉スラット部に属し嵌合が外れたスラットを回動させるスラット回動手段を持ち、連結スラット部は、カーテン閉位置に配されているシャッターカーテンが開閉スラットの回動に必要な所定長さ上動する際に、所定長さだけ伸長することを特徴とする。
【０００８】
本発明のシャッター装置は、下記の構成（１）〜（５）の何れかを備えることが好ましい。構成（１）〜（５）の複数を備えることが望ましい。
（１）上記連結スラット部は、下方に開口する内部中空を持つ本体部と、本体部の内部中空に収納され下方に展開して伸長する展開部と、を持つ。
（２）（１）の場合、上記本体部と上記展開部とは、少なくとも上記展開部が下方に展開しているときに連結している。
（３）上記連結スラット部は、複数の上記スラットからなり、上記連結スラット部に属する上記スラットは、上記シャッターカーテンが上記所定長さを超えて上動したときにも連結されている。
（４）上記一般スラット部は、複数の上記スラットからなり、上記シャッターカーテンが上記所定長さを超えて上動すると上記嵌合が外れて少なくとも１つの上記スラットが回動可能になる。
（５）（４）の場合、上記スラット回動手段は、上記一般スラット部に属し上記嵌合が外れた上記スラットを回動させる。
【発明の効果】
【０００９】
以下、本明細書において、開閉スラット部に属するスラットを開閉スラットと呼び、連結スラット部に属するスラットを連結スラットと呼び、一般スラット部に属するスラットを一般スラットと呼ぶ。
【００１０】
本発明のシャッター装置において、シャッターカーテンがカーテン閉位置に配されているときにシャッターカーテンを上動させると、開閉スラットの少なくとも１つが回動可能になる。回動可能になった開閉スラットはスラット回動手段によって回動する。このため、本発明のシャッター装置によると、シャッターカーテンで開口部を閉じているときにも、室内への採光や導風ができる。
【００１１】
また、開閉スラット部の下方に隣接して配されている連結スラット部は、カーテン閉位置に配されているシャッターカーテンが開閉スラットの回動に必要な所定長さ上動する際に、この所定長さだけ伸長する。このため、シャッターカーテンで開口部を閉じかつ開閉スラットが回動してスラット開位置に配されているときにも、連結スラットおよび一般スラットの嵌合が外れることはない。すなわち、シャッターカーテンは、開閉スラットの嵌合を外しかつ開閉スラットを回動させるために、所定長さ上動する。この際に、連結スラット部がこの所定長さだけ伸長すれば、連結スラット部の伸長代によってシャッターカーテンの上動代を吸収できる。よって、開閉スラット部よりも下方に位置する連結スラット部および一般スラット部は上動せず、連結スラットおよび一般スラットの嵌合は維持される。よって、シャッターカーテンが開口部を閉じ、かつ、開閉スラットが回動している状態（以下、シャッター装置の半開状態と呼ぶ）において、連結スラット部および一般スラット部がばたつくことはない。
【００１２】
なお、本発明のシャッター装置では、シャッターカーテンがカーテン閉位置に配されるときには、スラットは嵌合する。したがって、シャッターカーテンがカーテン閉位置に配されているときに、開閉スラット、連結スラット、および一般スラットがばたつくことはない。さらに、シャッターカーテンがカーテン閉位置に配されているときおよびシャッター装置が半開状態にあるときには、連結スラットおよび一般スラットの嵌合が維持されるため、連結スラットおよび一般スラットが外れ難い。よって、本発明のシャッター装置は防犯性にも優れる。
【００１３】
本発明のシャッター装置が上記構成（１）を備える場合には、連結スラット部を簡単な構造で構成できる。
【００１４】
本発明のシャッター装置が上記構成（２）を備える場合には、スラットのばたつきをより確実に低減できる。すなわち、展開部が下方に展開されているときに本体部と展開部とが連結していれば、シャッター装置が半開状態をとっているときに強風を受けても、連結スラット部自身の伸縮によるばたつきがなくなる。
【００１５】
本発明のシャッター装置が上記構成（３）を備える場合には、連結スラット部の伸縮長さを長くすることができる。したがって、例えば開閉スラット部が上下方向に長く形成され、開閉スラットの嵌合を外しかつ開閉スラットを回動させるのに要するシャッターカーテンの上動長さ（所定長さ）が大きい場合にも、連結スラット部が充分に伸長する。なお、連結スラットはシャッターカーテンが所定長さを超えて上動したときにも連結されている。このため、シャッターカーテンが所定長さを超えて上動したときにも、連結スラット部がばたつくことはない。
【００１６】
本発明のシャッター装置が上記構成（４）を備える場合には、シャッターカーテンを開位置と閉位置の間の位置にまで上動させた場合に、一般スラットを回動させて隣接するスラット同士の隙間（以下、採光経路と呼ぶ）を形成することができる。
【００１７】
本発明のシャッター装置が上記構成（５）を備える場合には、シャッターカーテンを開位置と閉位置の間の位置にまで上動させた場合に、スラット回動手段によって一般スラットを回動させることができ、一般スラットを回動させるための手段を別途要さない。
【発明を実施するための最良の形態】
【００１８】
以下、本発明のシャッター装置の具体例を挙げ、本発明のシャッター装置を図面を基に説明する。
【実施例】
【００１９】
（実施例１）
実施例１のシャッター装置は、家屋の出入り口（開口部）に配設され、出入り口を開閉する。実施例１のシャッター装置は、上記構成（１）〜（４）を備える。実施例１のシャッター装置を模式的に表す要部拡大斜視図を図１〜２に示す。実施例１のシャッター装置を模式的に表す説明図を図３〜５に示す。実施例１のシャッター装置におけるスラット回動手段の動作を模式的に表す説明図を図６〜１３に示す。詳しくは、実施例１のシャッター装置におけるスラット回動手段を上方から見た様子を模式的に表す説明図を図６、図８、図１０、図１２に示す。実施例１のシャッター装置におけるスラット回動手段を図１における左側方から見た様子を模式的に表す説明図を図７（ｂ）、図９（ｂ）、図１１、図１３に示す。実施例１のシャッター装置におけるスラット回動手段を図１における右側方から見た様子を模式的に表す説明図を図７（ａ）および図９（ａ）に示す。図６および７、図８および９、図１０および１１、図１２および１３はそれぞれ同じ状態にあるスラット回動手段を異なる角度から見た図である。以下、本実施例において上、下、左、右、室外、室内とは、図１に示す上、下、左、右、室外、室内を指す。
【００２０】
図１は、実施例１のシャッター装置を室外側から見た図である。図１に示すように、実施例１のシャッター装置は、シャッターカーテン１と、駆動手段２と、ガイド枠３とを備える。
【００２１】
シャッターカーテン１は、左右方向に延びる８枚のスラット１０が上下方向に配列されてなる。各スラット１０は略短冊状をなす。各スラット１０を上端部に配されるものから順に、第１スラット１１、第２スラット１２、第３スラット１３、第４スラット１４、第５スラット１５、第６スラット１６、第７スラット１７、第８スラット１８と呼ぶ。実施例１のシャッター装置においては、第１スラット１１〜第３スラット１３が開閉スラット部を形成する。第４スラット１４〜第６スラット１６が連結スラット部を形成する。第７スラット１７〜第８スラット１８が一般スラット部を形成する。一般スラット部に隣接した下方には、左右方向に延びる座板（図略）が配されている。
【００２２】
各スラット１０および座板の上端部には、上方に突出する鉤状の上側嵌合部１００が形成されている。また、各スラット１０の下端部には下方に突出する鉤状の下側嵌合部１０１が形成されている。上側嵌合部１００および下側嵌合部１０１は各スラット１０の長手方向（左右方向）に沿って延在している。図３（ａ）および図３（ｂ）に示すように、シャッターカーテン１がカーテン閉位置に配されると、隣接するスラット１０同士は、上側に位置するスラット１０の下側嵌合部１０１と、下側に位置するスラット１０（または座板）の上側嵌合部１００とが嵌合する。実施例１のシャッター装置においては、シャッターカーテン１がカーテン閉位置に配されるときに各スラット１０はスラット閉位置に配されつつ嵌合する。
【００２３】
開閉スラット（１１〜１３）は脱着可能に嵌合する。一般スラット（１７〜１８）もまた脱着可能に嵌合する。したがって、シャッターカーテン１を上動させると、開閉スラット（１１〜１３）の嵌合は外れ、一般スラット（１７〜１８）の嵌合もまた外れる。連結スラット（１４〜１６）は、シャッターカーテン１を上動させた際にも連結されている。さらに、連結スラット部の最下部に位置する連結スラット（第４スラット１４）と、一般スラット部の最上部に位置する一般スラット（第７スラット１７）との嵌合は、シャッターカーテン１を上動させた際にも維持される。
【００２４】
第１スラット１１〜第４スラット１４、および、第７スラット１７〜第８スラット１８には、左端から左方に突出する左軸部１０２と、右端から右方に突出する右軸部（図略）とが形成されている。第１スラット１１〜第４スラット１４、および、第７スラット１７〜第８スラット１８の左軸部１０２は、それぞれ、短冊状をなす左側リンク体（第１左側リンク体（図略）、第２左側リンク体１１２、第３左側リンク体１１３、第４左側リンク体１１４、第７左側リンク体１１７、第８左側リンク体１１８）に回動可能に保持されている。
【００２５】
第１左側リンク体〜第４左側リンク体１１４は互いにスライド可能かつ揺動可能に連結されている。第７左側リンク体１１７〜第８左側リンク体１１８もまた互いにスライド可能かつ揺動可能に連結されている。詳しくは、第１左側リンク体１１１は、長手方向の一端部に長孔を持ち、他端部に貫通孔を持つ。貫通孔は後述する巻き取り軸に連結されている。第２左側リンク体１１２は、長手方向の一端部に長孔１２０を持ち、左方に突起する連結ピン１２１を他端部に持つ。第３左側リンク体１１３および第８左側リンク体１１８は第２左側リンク体１１２と同形状である。第４左側リンク体１１４は、左方に突起する連結ピン１２１を長手方向の一端部に持つ。第７左側リンク体１１７は、長手方向の一端に長孔１２０を持つ。第２左側リンク体１１２の連結ピン１２１は第１左側リンク体の長孔に挿通され、第３左側リンク体１１３の連結ピン１２１は第２左側リンク体１１２の長孔１２０に挿通され、第４左側リンク体１１４の連結ピン１２１は第３左側リンク体１１３の長孔１２０に挿通されている。第８左側リンク体１１８の連結ピン１２１は第７左側リンク体１１７の長孔１２０に挿通されている。第８左側リンク体１１８の長孔１２０には座板の左端に形成されている連結ピン（図略）が挿通されている。第１スラット１１〜第４スラット１４は、第１左側リンク体１１１〜第４左側リンク体１１４からなる第１リンク部材１３１を介して連結されている。第７スラット１７〜第８スラット１８および座板は第７左側リンク体１１７〜第８左側リンク体１１８からなる第２リンク部材１３２を介して連結されている。なお、図示しないが、第１スラット１１〜第４スラット１４および第７スラット１７〜第８スラット１８の右軸部は、それぞれ、各左側リンク体と同形状の右側リンク体に回動可能に保持されている。各右側リンク体は、各左側リンク体と同様に連結されている。したがって、シャッターカーテン１においては、隣接するスラット１０同士が互いに嵌合するとともに、左側リンク体（および後述する右側リンク体）によっても各スラット１０が連結されている。左側リンク体および右側リンク体による各スラット１０の連結は、シャッターカーテン１を上下動させたときにも外れない。
【００２６】
各開閉スラット（第１スラット１１〜第３スラット１３）の左側上端部には左方に突出する係止ピン１３３が形成されている。
【００２７】
連結スラット（第４スラット１４〜第６スラット１６）は、本体部１５０と展開部１５１とからなる。各展開部１５１は略板状をなす。連結スラット（１４〜１６）の下側嵌合部１０１はそれぞれの展開部１５１の下端に形成されている。詳しくは、図３（ｂ）に示すように、連結スラット（１４〜１６）の本体部１５０は下方に開口する内部中空を持ち、各展開部１５１は各本体部１５０の内部中空に内蔵されている。本体部１５０の下端には、内部中空に向けて突起する鉤状の下側展開嵌合部１０３が形成されている。展開部１５１の上端には、下側展開嵌合部１０３と嵌合する鉤状の上側展開嵌合部１０４が形成されている。各展開部１５１は各本体部１５０の内部中空に出入可能に収容され、図５（ｂ）に示すように展開部１５１が本体部１５０から下方に展開すると、下側展開嵌合部１０３と上側展開嵌合部１０４とが嵌合する。また、図５（ｂ）に示すように、展開部１５１が本体部１５０から展開されると、連結スラット（１４〜１６）が上下に伸長する。図３（ｂ）に示すように、展開部１５１が本体部１５０の内部中空の内部に収容されると、連結スラット（１４〜１６）が収縮する。
【００２８】
駆動手段２は、シャッターカーテン１の上部に配置されている略箱状の格納ボックス（図略）と、格納ボックスの内部に配設されている柱状の巻き取り軸（図略）と、巻き取り軸の内部に配設されている電動モータ（図略）と、を備える。電動モータは図略の電源から給電を受けて、巻き取り軸を回転駆動する。巻き取り軸には、第１スラット１１が取り付けられている。巻き取り軸が正方向に回転するとシャッターカーテン１が巻き取られ、シャッターカーテン１が上動する。巻き取り軸が逆方向に回転すると巻き取られていたシャッターカーテン１が繰り出され、シャッターカーテン１が下動する。電動モータには、図略のコントローラが接続されている。図示しないが、コントローラには、電動モータを駆動してシャッターカーテン１を巻き取るための開操作ボタン、電動モータを駆動してシャッターカーテン１を繰り出すための閉操作ボタン、電動モータを停止してシャッターカーテン１の巻き取り動作や繰り出し動作を停止するための停止操作ボタン、および、シャッターカーテン１を半開状態するための半開操作ボタンなどが設けられている。
【００２９】
ガイド枠３は、上下に延びる一対のガイドレール３０からなる。各ガイドレール３０は出入り口の左右端部に１つずつ固着され、上下に延びるとともに他方のガイドレール３０に向けて開口するガイド溝３１を持つ。ガイドレール３０は、各スラット１０の左右端部、第１リンク部材１３１および第２リンク部材１３２を上下にスライド可能に保持する。ガイドレール３０の溝内部には、略円柱状のガイド部３２が上下方向に延在している。ガイド部３２はリブ３４を介してガイドレール３０と一体化されている。
【００３０】
駆動手段２はスラット回動手段２０を備える。スラット回動手段２０は、図７（ａ）（ｂ）に示すように、アクチュエータ２１と、捕捉部材２２と、カム体２３と、制御板２４とを備える。図１および図６に示すように、スラット回動手段２０は、左側のガイドレール３０に一部収容されている。アクチュエータ２１はソレノイドからなり、コントローラに接続されている。アクチュエータ２１は、図７（ａ）に示すように、上下動するプランジャ２１０を備える。プランジャ２１０はコントローラから伝送された信号に基づいて上下動する。プランジャ２１０の先端部には、左方に突起するピン２１１が形成されている。捕捉部材２２は略板状をなし、プランジャ２１０の左側かつシャッターカーテン１の第１スラット１１近傍に配されている。捕捉部材２２の一端部には、左方に突起するピン２２０が形成されている。捕捉部材２２のピン２２０は左側のガイドレール３０に枢支されている。捕捉部材２２には、ピン２２０に対向する端部に、スロット２２１が形成されている。スロット２２１は第１スラット１１の左軸部１０２に向けて開口している。図７（ａ）に示すように、捕捉部材２２の右側面には、室外側に向けて膨出する弧状のカム溝２２２が形成されている。カム溝２２２には、アクチュエータ２１のピン２１１が摺動可能に挿入されている。図７（ｂ）に示すように、捕捉部材２２の左側面には室外側に向けて膨出する略Ｌ字状のカム体ガイド溝２２３が形成されている。
【００３１】
カム体２３は長尺の板状をなし、一端がガイドレール３０に枢支されている。カム体２３は捕捉部材２２の左側に配されている。カム体２３の略中央部には左方に突起するピン２３０が形成されている。ピン２３０は、カム体ガイド溝２２３に摺動可能に挿入されている。
【００３２】
図１に示すように、制御板２４は、上下方向に延び断面が略Ｌ字状をなす。制御板２４の一端部である基部２４０は、ガイド部３２の外径に対応した形状に形成され、ガイド部３２に枢支されている。すなわち、制御板２４はガイド部３２を中心に回動する。制御板２４はカム体２３に隣接した下方に配されている。制御板２４の他端には、複数の切り欠き部２４１が上下方向に等ピッチで形成されている。切り欠き部２４１は斜め下方に向けて延び室外側に開口している。制御板２４の基部２４０側の部分は、カム体２３の端部（ガイドレール３０に枢支されている側と逆側の端部）に当接している。なお、制御板２４には図略の付勢部材が取り付けられ、制御板２４は室内側に付勢されている。従って、制御板２４は付勢部材に付勢されてカム体２３に当接している。制御板２４とカム体２３との当接は常時維持されている。
【００３３】
実施例１のシャッター装置は以下のように動作する。
【００３４】
コントローラの開操作ボタンを操作すると、電動モータが駆動されシャッターカーテン１が巻き取られてカーテン開位置に配される。従って、このとき開口部が開かれる。コントローラの閉操作ボタンを操作すると、電動モータが駆動されてシャッターカーテン１が繰り出されてカーテン閉位置に配される。従って、このときに開口部が閉じられる。
【００３５】
シャッター装置が図３、６、７に示される状態のとき、すなわち、シャッターカーテン１がカーテン閉位置に配され、各スラット１０がスラット閉位置に配されているときに、コントローラの半開操作ボタンを操作すると、電動モータが駆動する。電動モータの駆動により、シャッターカーテン１が巻き取られて上動する。このとき、シャッターカーテン１は、第１スラット１１、第２スラット１２、第３スラット１３・・・と順次上動し、上動したスラット１０と下方に隣接するスラット１０との嵌合が外れる（図４）。このとき同時に、コントローラからアクチュエータ２１に信号が伝送される。すると、図９（ａ）に示すように、プランジャ２１０が上動し、プランジャ２１０に形成されているピン２１１が、プランジャ２１０の上動に伴って上動する。ピン２１１は捕捉部材２２のカム溝２２２に摺動可能に挿入されているため、ピン２１１はカム溝２２２を摺動しつつ上動するとともに、カム溝２２２の壁面を上方に押圧する。プランジャ２１０のピン２１１に押圧された捕捉部材２２は、ガイドレール３０に枢支されているピン２２０を中心に図９（ａ）中時計回り（図９（ｂ）中反時計回り）に回動し、図８および図９（ｂ）に示すように、スロット２２１の室外側周縁部２２４が第１スラット１１の左軸部１０２の昇降移動軌跡上に移動する。
【００３６】
図９（ｂ）に示すように、スロット２２１の室外側周縁部２２４が第１スラット１１の左軸部１０２の昇降移動軌跡上に移動すると、各スラット１０が上動する際に、第１スラット１１の左軸部１０２が、スロット２２１の室外側周縁部２２４を押し上げて捕捉部材２２を図９（ｂ）中反時計回りに回動させつつ、スロット２２１内に入る（図１０、１１）。
【００３７】
捕捉部材２２が反時計回りに回動すると、カム体ガイド溝２２３の壁面が、カム体２３のピン２３０を室外側に押圧する。従って、カム体２３はガイドレール３０に枢支されている端部を中心に図９（ｂ）中反時計回りに回動する。カム体２３の下端部は制御板２４と当接しているため、制御板２４はカム体２３の回動に伴って室外側、即ち、シャッターカーテン１側に移動する。このため、図１０および１１に示すように、第２スラット１２の係止ピン１３３および第３スラット１３の係止ピン１３３は、制御板２４の切り欠き部２４１に入る。
【００３８】
スラット回動手段２０が図１０および１１に示される状態にあるとき、第１スラット１１〜第３スラット１３が上動しており、第１スラット１１〜第３スラット１３は回動可能になっている。したがって、引き続きシャッターカーテン１を上動させると、第２スラット１２の係止ピン１３３および第３スラット１３の係止ピン１３３が制御板２４に引き上げられ、第２スラット１２および第３スラット１３はそれぞれ左軸部１０２を中心に図１１反時計回りに回動する。よって、各開閉スラット（第１スラット１１〜第３スラット１３）はスラット開位置に配され、第１スラット１１と第２スラット１２との間、第２スラット１２と第３スラット１３との間、および、第３スラット１３と第４スラット１４との間に採光経路４が形成される（図１３）。このとき、シャッター装置は半開状態をとる。実施例１のシャッター装置において、シャッターカーテン１が図７（ｂ）に示される位置から図１３に示される位置にまで上動した長さが所定長さとなる。
【００３９】
半開状態のシャッター装置には、採光経路４が形成されるため、実施例１のシャッター装置では、シャッターカーテン１が開口部を閉じているときにも、室内への採光や導風ができる。
【００４０】
シャッター装置が半開状態に配されているときに、コントローラの閉操作ボタンを操作すると、シャッターカーテン１が所定長さ下動するとともに、アクチュエータ２１のプランジャ２１０が上動して、捕捉部材２２が図１３中時計回りに回動し、制御板２４が下動する。したがって第１スラット部１１が下動するとともに、第２スラット１２および第３スラット１３が下動しつつ図１３中時計回りに回動してスラット閉位置に配される。よって、開閉スラット（１１〜１３）は再度嵌合する。よって、シャッター装置は、図７に示される状態、すなわち、シャッターカーテン１がカーテン閉位置に配されスラット１０がスラット閉位置に配される状態となる。
【００４１】
ところで、実施例１のシャッター装置では、開閉スラット部（第１スラット１１〜第３スラット１３）と一般スラット部（第７スラット１７〜第８スラット１８）との間に連結スラット部（第４スラット１４〜第６スラット１６）が介在している。従って、図３〜図５に示すように、シャッター装置を半開状態にする際にシャッターカーテン１が所定長さ上動すると、シャッターカーテン１が上動した所定長さ分だけ連結スラット部（第４スラット１４〜第６スラット１６）が伸長する。すなわち、連結スラット（第４スラット１４〜第６スラット１６）の展開部１５１が本体部１５０とから展開される。このため、シャッターカーテン１が上動した所定長さを、連結スラット部（第４スラット１４〜第６スラット１６）が吸収する。よって、図５に示すように、連結スラット部（第４スラット１４〜第６スラット１６）に後続する一般スラット部（第７スラット１７〜第８スラット１８）は、シャッター装置が半開状態をとるときにも上動しない。よって一般スラット（１７〜１８）の嵌合は外れず、一般スラット（１７〜１８）がばたつくことはない。
【００４２】
同様に、シャッターカーテン１が所定長さ上動する際にも、連結スラット部の最下部のスラット（第６スラット１６）と一般スラット部の最上部のスラット（第７スラット１７）との嵌合もまた外れない。さらに、連結スラット（１４〜１６）の嵌合は、シャッターカーテン１を上動させた際にも維持される。よって、シャッター装置が半開状態をとるときに、連結スラット（１４〜１６）がばたつくこともない。さらに、連結スラット部（第４スラット１４〜第６スラット１６）は所定長さ、すなわち、シャッター装置を半開状態にするときのシャッターカーテン１の上動代だけ伸長するため、シャッターカーテン１が所定長さを超えて上動するとき（例えばカーテン開位置に配されるとき）には、開閉スラット部とともに上動する。
【００４３】
実施例１のシャッター装置では、一般スラット（１７〜１８）の嵌合は、シャッターカーテン１が所定長さを超えて上動すると外れる。このため、第７スラット１７〜第８スラット１８に、第２スラット１２〜第３スラット１３と同様の係止ピン１３３を設ければ、例えばシャッターカーテン１をカーテン閉位置とカーテン開位置との間の位置に配した状態で、一般スラット（１７〜１８）を回動させることもできる。この場合には、シャッターカーテン１をカーテン閉位置とカーテン開位置との間の位置に配した状態で、室内への採光や導風が可能となる。
【００４４】
実施例１のシャッター装置では、駆動手段２によってシャッターカーテン１を巻き取って上動させ、繰り出して下動させているが、例えばシャッターカーテン１を上下にスライド移動させる駆動手段を用いても良い。
【００４５】
実施例１のシャッター装置では、連結スラット（１４〜１６）が本体部１５０と展開部１５１とから形成されているが、例えば連結スラット（１４〜１６）を蛇腹状に形成してもよい。この場合には、連結スラット（１４〜１６）が折り畳まれて収縮し、折り畳まれた連結スラット（１４〜１６）が伸びて伸長する。連結スラット（１４〜１６）は、これに限らず伸縮可能なその他の形状に形成しても良い。
【００４６】
なお、実施例１のシャッター装置では、第１スラット１１〜第４スラット１４（開閉スラットおよび最上部に配されている連結スラット）は第１リンク部材１３１によって連結され、第７スラット１７〜第８スラット１８（一般スラット）は第２リンク部材１３２によって連結されている。さらに、連結スラット（１４〜１６）はシャッターカーテン１を上動させた際にも連結されている。したがって、シャッターカーテン１を巻き上げて隣接する開閉スラット（１１〜１３）同士の嵌合が外れた際にも、各スラット１０は連結され、シャッターカーテン１の巻き上げおよび繰り出しに支障が生じることはない。
【００４７】
（実施例２）
実施例２のシャッター装置は、上記構成（１）〜（５）を備える。実施例２のシャッター装置は、連結スラット部および一般スラット部が実施例１と異なる形状に形成され、実施例１のスラット回動手段に加えて第２のスラット回動手段を備えること以外は実施例１と同じである。実施例２のシャッター装置を模式的に表す説明図を図１４〜１５に示す。
【００４８】
実施例２のシャッター装置において、各連結スラット（１４〜１６）の展開部１５１には貫通孔状の窓部（図略）が形成されている。最下部に配されている一般スラット（第８スラット１８）の左側上端部には左方に突出する係止ピン１３３が形成されている。
【００４９】
第２のスラット回動手段（図略）は、実施例１のスラット回動手段２０におけるアクチュエータ２１、捕捉部材２２、カム体２３、制御板２４、と同形状の第２のアクチュエータ、第２の捕捉部材、第２のカム体、第２の制御板を備える。第２の捕捉部材、第２のカム体および第２の制御板は、スラット回動手段２０の捕捉部材２２、カム体２３、制御板２４よりも下方に配されている。
【００５０】
実施例２のシャッター装置は以下のように動作する。
【００５１】
実施例１のシャッター装置と同様に、シャッターカーテン１を所定長さ上動させると、図１４（ａ）（ｂ）に示すようにシャッター装置が半開状態をとる。シャッター装置が半開状態をとっているときに、シャッターカーテン１をさらに上動させる（所定長さを超えて上動させる）と、連結スラット部（第４スラット１４〜第６スラット１６）が上動し、連結スラット部（第４スラット１４〜第６スラット１６）に後続する一般スラット部（第７スラット１７〜第８スラット１８）も上動する。捕捉部材２２は第７スラット１７に隣接した位置に配されており、第７スラット１７が上動すると第７スラット１７と第８スラット１８との嵌合が外れ、第７スラット１７の左軸部１０２が第２の捕捉部材のスロットに入る。次いで第８スラット１８が上動すると、第８スラット１８の係止ピン１３３が第２の制御板の切り欠き部に入り、第８スラット１８は左軸部１０２を中心に回動する。したがって、第８スラット１８がスラット開位置に配され、第７スラット１７と第８スラット１８との間、および第８スラット１８と底板（図略）との間に採光経路４が形成される。この状態をシャッター装置の全開状態と呼ぶ。実施例２のシャッター装置では、開閉スラット部のみならず一般スラット部にも採光経路４を形成できるため、シャッターカーテン１が開口部を閉じているときに室内に導入できる光量や風量が増大する利点がある。
【００５２】
さらに、実施例２のシャッター装置では、各連結スラット（１４〜１６）の展開部１５１に窓部が形成されているため、連結スラット（１４〜１６）が伸長しているとき、即ち、シャッター装置が半開状態または全開状態をとっているときには、連結スラット部にも光や風の進入経路を形成できる。よって、シャッターカーテン１が開口部を閉じているときに室内に導入できる光量や風量はさらに増大する。
【図面の簡単な説明】
【００５３】
【図１】実施例１のシャッター装置を模式的に表す要部拡大斜視図である。
【図２】実施例１のシャッター装置を模式的に表す説明図である。
【図３】実施例１のシャッター装置を模式的に表す説明図である。
【図４】実施例１のシャッター装置を模式的に表す説明図である。
【図５】実施例１のシャッター装置を模式的に表す説明図である。
【図６】実施例１のシャッター装置におけるスラット回動手段の動作を模式的に表す説明図である。
【図７】実施例１のシャッター装置におけるスラット回動手段の動作を模式的に表す説明図である。
【図８】実施例１のシャッター装置におけるスラット回動手段の動作を模式的に表す説明図である。
【図９】実施例１のシャッター装置におけるスラット回動手段の動作を模式的に表す説明図である。
【図１０】実施例１のシャッター装置におけるスラット回動手段の動作を模式的に表す説明図である。
【図１１】実施例１のシャッター装置におけるスラット回動手段の動作を模式的に表す説明図である。
【図１２】実施例１のシャッター装置におけるスラット回動手段の動作を模式的に表す説明図である。
【図１３】実施例１のシャッター装置におけるスラット回動手段の動作を模式的に表す説明図である。
【図１４】実施例２のシャッター装置を模式的に表す説明図である。
【図１５】実施例２のシャッター装置を模式的に表す説明図である。
【図１６】一般的なシャッター装置を模式的に表す説明図である。
【図１７】従来のシャッター装置におけるシャッターカーテンを側方から見た様子を模式的に表す説明図である。
【符号の説明】
【００５４】
１：シャッターカーテン、２：駆動手段、３：ガイド枠、４：採光経路、１０：スラット、１１〜１３：開閉スラット、１４〜１６：連結スラット、１７〜１８：一般スラット、２０：スラット回動手段、１３１：第１リンク部材、１３２：第２リンク部材、１５０：本体部、１５１：展開部
【図１】
2007138517.tif 000003
【図２】
2007138517.tif 000004
【図３】
2007138517.tif 000005
【図４】
2007138517.tif 000006
【図５】
2007138517.tif 000007
【図６】
2007138517.tif 000008
【図７】
2007138517.tif 000009
【図８】
2007138517.tif 000010
【図９】
2007138517.tif 000011
【図１０】
2007138517.tif 000012
【図１１】
2007138517.tif 000013
【図１２】
2007138517.tif 000014
【図１３】
2007138517.tif 000015
【図１４】
2007138517.tif 000016
【図１５】
2007138517.tif 000017
【図１６】
2007138517.tif 000018
【図１７】
2007138517.tif 000019